(57)【要約】      （修正有）【課題】光の姿が大きいので従来のファイアトーチと同様の感覚で演舞及び観舞することができ、火を使わないので安全であり、使い捨てではないので経済面・環境面でも有利なトワリング用ＬＥＤトーチを提供する。【解決手段】トワリング用ＬＥＤトーチは、棒体２と、棒体２の先端に設けられた筒体７と、筒体７の外周面上に配された複数個のＬＥＤ１０と、ＬＥＤ１０及び筒体７を囲んで保護する透光性の外筒とを備えている。さらに、リモコンから送信される信号を受信する受信部１４と、受信部１４が受信した信号に基づいてＬＥＤ１０の発光の仕方を変える制御部１１とを備えている。【選択図】図２
0003232175.tif 000002
【実用新案登録請求の範囲】
【請求項１】
棒体（２）と、棒体（２）の先端部に設けられた筒体（７）と、筒体（７）の外周面上に配された複数個のＬＥＤ（１０）とを備えていることを特徴とするトワリング用ＬＥＤトーチ。
【請求項２】
ＬＥＤ（１０）は、ＬＥＤテープライト（８）に装着されたものであり、該ＬＥＤテープライト（８）が筒体（７）に螺旋状に巻き付けられている請求項１記載のトワリング用ＬＥＤトーチ。
【請求項３】
ＬＥＤ（１０）及び筒体（７）を囲んで保護する透光性の外筒（４）を備えている請求項１又は２記載のトワリング用ＬＥＤトーチ。
【請求項４】
ＬＥＤに給電する電池（１３）が、筒体（７）の内部に交換可能に配される請求項１、２又は３記載のトワリング用ＬＥＤトーチ。
【請求項５】
リモコン（１５）から送信される信号を受信する受信部（１４）と、受信部（１４）が受信した信号に基づいてＬＥＤ（１０）の発光の仕方を制御する制御部（１１）とを備えている請求項１、２、３又は４記載のトワリング用ＬＥＤトーチ。
【考案の詳細な説明】
【技術分野】
【０００１】
本考案は、トワリング用ＬＥＤトーチに関するものである。
【背景技術】
【０００２】
トーチトワリングは、火のついた棒（ファイアトーチ）を回して行う演舞であり、主に愛知県の学校行事として行われている。
従来のファイアトーチ５１は、図３（ａ）に示すように、棒体５２の先端にタオル５３を巻きつけて作製されており、そのタオル５３に灯油をしみ込ませ、火をつけて使用する（非特許文献１）。
【０００３】
しかし、従来のファイアトーチ５１は、火を使うため完全上の管理・指導（タオルが外れないようにする、灯油を絞り取る、火に触れない扱い方、火の後始末等）が必要であった。また、そうした管理・指導にもかかわらず、学生が演舞中に火傷を負う事故が発生したため、学校行事としては禁止されるようになった。
【０００４】
そこで、最近では、図３（ｂ）に示すように、棒体６２の先端にタオル６３を巻きつけ、そのタオル６３にケミカルライト６４を取り付けて作製した、ケミカルライトトーチ６１を使用する学校が増えている（非特許文献１）。ケミカルライト６４は、シュウ酸ジフェニルと過酸化水素とを混合させて化学発光させるものであり、危険性は低い。
【０００５】
しかし、ケミカルライト６４は、使い捨てであるため、経済面・環境面で問題があった。
【先行技術文献】
【非特許文献】
【０００６】
【非特許文献１】ファイアトーチの事項、［online］、 ウィキペディア（Wikipedia）、[令和３年３月８日検索]、インターネット、
【考案の概要】
【考案が解決しようとする課題】
【０００７】
そこで、本考案の目的は、光の姿が大きいので従来のファイアトーチと同様の感覚で演舞及び観舞することができ、火を使わないので安全であり、使い捨てではないので経済面・環境面でも有利なトワリング用ＬＥＤトーチを提供することにある。
【課題を解決するための手段】
【０００８】
本考案のトワリング用ＬＥＤトーチは、棒体と、棒体の先端部に設けられた筒体と、筒体の外周面上に配された複数個のＬＥＤ（発光ダイオード）とを備えていることを特徴とする。
【０００９】
複数個のＬＥＤは、ＬＥＤテープライトに装着されたものであり、該ＬＥＤテープライトが筒体の外周面上に螺旋状に巻き付けられている態様を例示できる。筒体の外周面上へのＬＥＤの配置が容易である。
【００１０】
ＬＥＤ及び筒体を囲んで保護する透光性の外筒を備えていることが好ましい。ＬＥＤ及び筒体の損傷を防止できるからである。
【００１１】
ＬＥＤに給電する電池が、筒体の内部に交換可能に配されることが好ましい。
【００１２】
リモコンから送信される信号を受信する受信部と、受信部が受信した信号に基づいてＬＥＤの発光の仕方を変える制御部とを備えている態様を例示できる。演舞中に、演舞者が、あるいは演舞者とは別の者が遠隔から、ＬＥＤの発光の仕方を変えることができる。
【考案の効果】
【００１３】
本考案によれば、光の姿が大きいので従来のファイアトーチと同様の感覚で演舞及び観舞することができ、火を使わないので安全であり、使い捨てではないので経済面・環境面でも有利なトワリング用ＬＥＤトーチを提供することができる。
【図面の簡単な説明】
【００１４】
【図１】図１は実施例のＬＥＤトーチを示し、（ａ）は全体の斜視図、（ｂ）は先端部の斜視図である。
【図２】図２は実施例のＬＥＤトーチを示し、（ａ）は先端部の分解斜視図、（ｂ）はＬＥＤを配した筒体の側面図、（ｃ）は（ｂ）の端面図である。
【図３】図３（ａ）は従来のファイアトーチの斜視図、（ｂ）は従来のケミカルライトトーチの斜視図である。
【考案を実施するための形態】
【００１５】
［１］棒体
棒体の材質としては、特に限定されないが、金属、樹脂、木、竹等を例示できる。
【００１６】
［２］ＬＥＤ
複数個のＬＥＤを筒体の外周面上に配する手段は、前記ＬＥＤテープライトを螺旋状に巻くことに限定されず、ＬＥＤを１個ずつ実装する、ＬＥＤが線状に数珠繋ぎされたものを巻く等の手段を例示できる。
ＬＥＤの個数としては、特に限定されないが、１０〜１００個を例示できる。火炎のような迫力のある見栄えと消費電力の抑制による電池の長持ち性とを兼ね備える点で、３０〜６０個が好ましい。
【００１７】
［３］筒体
筒体の材質としては、特に限定されないが、樹脂、金属、木、紙等を例示できる。
筒体の形状としては、特に限定されないが、円筒形、角筒形等を例示できる。
筒体が棒体の先端部に設けられる態様としては、特に限定されないが、棒体の先端部に固定される態様、棒体の先端部に取り付けられた容器に入れられる態様等を例示できる。
前記ＬＥＤテープライトを用いる場合、筒体は、ＬＥＤテープライトを螺旋状に巻くためのコアとしての筒体でもよいし、コアなしで螺旋状に巻かれたＬＥＤテープライトのテープ自体が作る筒体でもよい。
【００１８】
［４］外筒
外筒の透光性としては、特に限定されないが、透明、半透明、着色透明、フロスト、型模様付き透明等を例示できる。
【実施例】
【００１９】
本考案の実施例を図１及び図２を参照して説明する。なお、実施例の各部の構造、形状、材質、数等は例示であり、考案の要旨から逸脱しない範囲で適宜変更できる。
【００２０】
実施例のトワリング用ＬＥＤトーチ１は、棒体２と、棒体２の先端に設けられた筒体７と、筒体７の外周面上に配された複数個のＬＥＤ１０と、ＬＥＤ１０及び筒体７を囲んで保護する透明な外筒４と、ＬＥＤトーチ１より離れたリモコン１５から送信される信号を受信する受信部１４と、受信部１４が受信した信号に基づいてＬＥＤ１０の発光の仕方を変える制御部１１とを備えている。
【００２１】
棒体２は、アルミニウム合金製の円筒棒からなり、その基端部には半径方向に突出した指掛け３が突設されている。この指掛け３に指を掛けてトーチを持ち、回すことができる。棒体２の長さは３００〜６００ｍｍ（好ましくは４００〜５２０ｍｍ）である。
【００２２】
外筒４は、有底筒状の透明な外筒本体５と、該外筒本体５と着脱可能に螺合する外筒蓋体６とからなる容器であり、外筒蓋体６が棒体２の先端に固定されている。
【００２３】
筒体７は、容器である外筒４に入れられることにより、棒体２の先端部に設けられている。筒体７は樹脂製の円筒体であり、外直径は２０〜６０ｍｍ（好ましくは２５〜４０ｍｍ）、長さは５０〜２００ｍｍ（好ましくは８０〜１６０ｍｍ）である。
【００２４】
複数個のＬＥＤ１０は、テープ９と該テープ９に装着された複数個のＬＥＤ１０とからなるＬＥＤテープライト８が筒体７に螺旋状に巻き付けられたことで、筒体７の外周面上に分散状に配されている。ＬＥＤ１０の個数は１０〜１００個（好ましくは３０〜６０個）である。ＬＥＤテープライト８の基端部には、筒体７の内部に配された制御部１１が接続され、制御部１１には電池コネクタ１２が接続されている。ＬＥＤに給電する電池１３が、電池コネクタ１２に交換可能に接続され、筒体７の内部に挿入されて配される。
【００２５】
制御部１１の先端部には、リモコン１５から赤外線又は電波により送信される信号を受信する受信部１４が接続されている。制御部１１は、受信部１４が受信した信号に基づいてＬＥＤ１０の発光の仕方を変える。例えば、発光色の手動切り替え、発光色の自動切り替え、常時点灯と点滅の切り替え等である。
【００２６】
以上のように、構成されたトワリング用ＬＥＤトーチ１によれば、次の作用効果が得られる。
（ア）筒体７の外周面上に配された複数個のＬＥＤ１０が発光するため、その全体の光の姿が大きくなるので、従来のファイアトーチと同様の感覚で演舞及び観舞することができる。
（イ）火を使わないので、安全である。
（ウ）繰り返し使うことができ、使い捨てではないので、経済面・環境面でも有利である。
【００２７】
なお、本考案は前記実施例に限定されるものではなく、例えば次のように、考案の要旨から逸脱しない範囲で適宜変更して具体化することができる。
（１）外筒４（詳しくは外筒本体５）を、フロストにして光を和らげたり、型模様付き透明にして光を拡散させたりすること。
（２）電池１３は、乾電池でも充電式電池でもよく、さらにＬＥＤトーチ１の一部に太陽電池を設けて前記充電式電池に充電するようにしてもよい。
【符号の説明】
【００２８】
１    トワリング用ＬＥＤトーチ
２    棒体
４    外筒
５    外筒本体
６    外筒蓋体
７    筒体
８    ＬＥＤテープライト
９    テープ
１０    ＬＥＤ
１１    制御部
１２    電池コネクタ
１３    電池
１４    受信部
１５    リモコン
【図１】
0003232175.tif 000003
【図２】
0003232175.tif 000004
【図３】
0003232175.tif 000005